(57)【要約】【課題】通常の講義に用いるＮＴＳＣ映像と、精細なＰＣ画像であるＸＧＡ映像の両方を使用できる、遠隔教育システムを提供する。【解決手段】映像配信局および映像受信拠点局のスイッチを制御する制御端末３２と、ＮＴＳＣ映像ソース３３と、ＸＧＡ映像ソース３５と、ＮＴＳＣ映像送信装置３６と、ＸＧＡ映像送信装置３７と、レイヤ２スイッチ３１とを有する映像配信局３と、レイヤ２スイッチ５１と、ＮＴＳＣ映像・音声受信装置５２と、ＸＧＡ映像受信装置５３と、ＮＴＳＣ信号をＲＧＢ信号に変換する変換装置５４と、いずれかの映像信号を選択して映像表示装置へ出力する映像スイッチ５５とを有する複数の映像受信拠点局５とをＩＰ網１を介して接続し、映像配信局３からＮＴＳＣ映像とＸＧＡ映像を同時に配信し、映像受信拠点局５が受信したＮＴＳＣ映像とＸＧＡ映像とを映像選択スイッチ５５により選択する。【選択図】図１
2007158650.tif 000002
【特許請求の範囲】
【請求項１】
映像配信局と複数の映像受信拠点局とをＩＰ網を介して接続した遠隔教育システムにおいて、
映像配信局が、映像配信局および映像受信拠点局のスイッチを制御する制御端末と、ＮＴＳＣ映像ソースと、ＸＧＡ映像ソースと、ＮＴＳＣ映像送信装置と、ＸＧＡ映像送信装置と、レイヤ２スイッチとを有し、
映像受信拠点局が、レイヤ２スイッチと、ＮＴＳＣ映像・音声受信装置と、ＸＧＡ映像受信装置と、ＮＴＳＣ信号をＲＧＢ信号に変換する変換装置と、いずれかの映像信号を選択して映像表示装置へ出力する映像スイッチとを有し、
映像配信局からＮＴＳＣ映像とＸＧＡ映像を同時に配信し、映像受信拠点局が受信したＮＴＳＣ映像とＸＧＡ映像とを映像選択スイッチにより選択することを特徴とする遠隔教育システム。
【請求項２】
請求項１記載の遠隔教育システムにおいて、
映像受信拠点局の映像スイッチを、映像配信局の制御端末から制御して切替える
ことを特徴とする遠隔教育システム。
【請求項３】
請求項１記載の遠隔教育システムにおいて、
映像受信拠点局に映像スイッチの切替制御が可能なスイッチインタフェースを備え、映像受信拠点局の映像スイッチを映像配信局の制御端末から制御して切替えるに当たり、ＩＰ網越しに映像配信局の制御端末からの制御信号を映像スイッチに入力し、逆に映像スイッチからの状態確認出力をＩＰ網越しに映像配信極の制御端末へ送信可能とし、映像スイッチの切替制御を可能とした
ことを特徴とする遠隔教育システム。
【請求項４】
請求項１記載の遠隔教育システムにおいて、
映像配信装置にＰＣ画面のＸＧＡ映像をＮＴＳＣ映像に変換する変換装置を設け、ＰＣ上で再生しているＸＧＡ動画を、ＮＴＳＣ映像として配信するようにした
ことを特徴とする遠隔教育システム。
【請求項５】
請求項１記載の遠隔教育システムにおいて、
映像配信局の制御端末によって、映像配信および受信装置の状態を監視し、映像配信および受信装置の状態を制御する
ことを特徴とする遠隔教育システム。
【請求項６】
映像配信局と複数の映像受信拠点局とをＩＰ網を介して接続し、映像配信局からＮＴＳＣ映像信号とＸＧＡ映像信号を同時に送信し、映像受信拠点局が受信した映像信号を映像配信局からの制御新号によって選択して出力する遠隔教育システムを構成する映像配信局であって、
映像配信局および映像受信拠点局のスイッチを制御する制御端末と、ＮＴＳＣ映像ソースと、ＸＧＡ映像ソースと、ＮＴＳＣ映像送信装置と、ＸＧＡ映像送信装置と、ＮＴＳＣ映像信号とＸＧＡ映像信号を同時にＩＰ網に送出するレイヤ２スイッチとを有し、
ＮＴＳＣ映像とＸＧＡ映像とを同時にＩＰ網へ送出し、映像受信拠点局の映像スイッチを切替制御する信号をＩＰ網へ送出する
ことを特徴とする遠隔教育システムを構成する映像配信局。
【請求項７】
請求項６記載の遠隔教育システムを構成する映像配信局において、
ＸＧＡ映像信号をＮＴＳＣ映像信号に変換する変換装置を備え、ＰＣからのＸＧＡ映像信号をＮＴＳＣ信号に変換してＩＰ網へ送出する
ことを特徴とする遠隔教育システムを構成する映像配信局。
【請求項８】
映像配信局と複数の映像受信拠点局とをＩＰ網を介して接続し、映像配信局からＮＴＳＣ映像信号とＸＧＡ映像信号を同時に送信し、映像受信拠点局が受信した映像信号を映像配信局からの制御新号によって選択して出力する遠隔教育システムを構成する映像受信拠点局であって、
同時に受信したＮＴＳＣ映像信号と、ＸＧＡ映像信号を分けるレイヤ２スイッチと、ＮＴＳＣ映像・音声受信信号装置と、ＸＧＡ英送受信装置と、ＮＴＳＣ映像信号をＲＧＢ映像信号に変換する変換装置と、ＮＴＳＣ映像・音声受信装置またはＸＧＡ映像受信装置からの信号のいずれかを選択する映像スイッチとを有し、
ＩＰ網から同時に受信したＮＴＳＣ映像信号とＸＧＡ映像信号のいずれかを選択する切替制御信号を映像配信局から受信し、映像スイッチを切替制御する
ことを特徴とする遠隔教育システムを構成する映像受信拠点局。
【発明の詳細な説明】
【技術分野】
【０００１】
本発明は、ＩＰ網を利用し、講師の選択した映像を遠隔教室へ配信する、遠隔教育システムおよびその装置に関する。
【背景技術】
【０００２】
従来、ＩＰ網を利用した遠隔教育システムでは、ＮＴＳＣ信号の映像を圧縮して配信し講師の映像や、ビデオ映像等を配信していたが(例えば、特許文献１参照)、細かな文字の資料は、文字が読み取れなかった。また、ＰＣ画像をファイルで送信するシステムはあるが(例えば、特許文献２参照)映像の更新が遅く、また受講生に端末の操作を要求する為、ＰＣ画像を効果的に使用できない。
【特許文献１】特開２００２−２９０９５３号公報
【特許文献２】特開２００１−３３７５８９号公報
【発明の開示】
【発明が解決しようとする課題】
【０００３】
本発明は、通常の講義に用いるＮＴＳＣ信号の映像（以下、ＮＴＳＣ映像と示す）と、精細なＰＣ画像（以下、ＸＧＡ映像と示す）の両方を使用できる、遠隔教育システムを提供することを目的とする。
【課題を解決するための手段】
【０００４】
本発明は、ＮＴＳＣ映像をＩＰ化して送信／受信する装置、ＸＧＡ映像をＩＰ化し送信／受信する装置、映像選択スイッチを、ＰＣ等の制御端末（以下制御端末と示す）を用いて制御する。
【０００５】
映像選択スイッチの制御方法として、ＮＴＳＣ映像の受信装置にスイッチインタフェースを持たせ、制御端末からＩＰ網越しに制御信号を映像選択スイッチに入力する。
【０００６】
また、映像選択スイッチの監視方法として、ＮＴＳＣ映像の受信装置にスイッチインタフェースを持たせ、映像選択スイッチからの出力をＩＰ網越しに制御端末に入力する。
【０００７】
また、映像の送受信装置の状態を、ＩＰ網を利用して監視／制御する。
【発明の効果】
【０００８】
本発明によれば、例えば遠隔地に設置された映像受信拠点局で表示されているＮＴＳＣ映像とＸＧＡ映像を、映像配信局に居る講師が瞬時に切り替えることが可能となり、かつ受講生が操作を行う必要も無いため、ＰＣで作成した資料を利用した講義等、ＰＣ画像を使用した講義を、非常に効果的に実施することが可能となる。
【発明を実施するための最良の形態】
【０００９】
本発明は、映像配信局と複数の映像受信拠点局とをＩＰ網を介して接続した遠隔教育システムにおいて、映像配信局が、映像配信局および映像受信拠点局のスイッチを制御する制御端末と、ＮＴＳＣ映像ソースと、ＸＧＡ映像ソースと、ＮＴＳＣ映像送信装置と、ＸＧＡ映像送信装置と、レイヤ２スイッチとを有し、映像受信拠点局が、レイヤ２スイッチと、ＮＴＳＣ映像・音声受信装置と、ＸＧＡ映像受信装置と、ＮＴＳＣ信号をＲＧＢ信号に変換する変換装置と、いずれかの映像信号を選択して映像表示装置へ出力する映像スイッチとを有し、映像配信局からＮＴＳＣ映像とＸＧＡ映像を同時に配信し、映像受信拠点局が受信したＮＴＳＣ映像とＸＧＡ映像とを映像選択スイッチにより選択するようにした。
【００１０】
また、本発明は、上記遠隔教育システムにおいて、映像受信拠点局の映像スイッチを、映像配信局の制御端末から制御して切替えるようにした、さらに、本発明は、上記遠隔教育システムにおいて、映像受信拠点局に映像スイッチの切替制御が可能なスイッチインタフェースを備え、映像受信拠点局の映像スイッチを映像配信局の制御端末から制御して切替えるに当たり、ＩＰ網越しに映像配信局の制御端末からの制御信号を映像スイッチに入力し、逆に映像スイッチからの状態確認出力をＩＰ網越しに映像配信極の制御端末へ送信可能とし、映像スイッチの切替制御を可能とした。加えて、本発明は、上記遠隔教育システムにおいて、映像配信装置にＰＣ画面のＸＧＡ映像をＮＴＳＣ映像に変換する変換装置を設け、ＰＣ上で再生しているＸＧＡ動画を、ＮＴＳＣ映像として配信するようにした。さらに、本発明は、上記遠隔教育システムにおいて、映像配信局の制御端末によって、映像配信および受信装置の状態を監視し、映像配信および受信装置の状態を制御するようにした。
【００１１】
本発明は、映像配信局と複数の映像受信拠点局とをＩＰ網を介して接続し、映像配信局からＮＴＳＣ映像信号とＸＧＡ映像信号を同時に送信し、映像受信拠点局が受信した映像信号を映像配信局からの制御新号によって選択して出力する遠隔教育システムを構成する映像配信局であって、映像配信局および映像受信拠点局のスイッチを制御する制御端末と、ＮＴＳＣ映像ソースと、ＸＧＡ映像ソースと、ＮＴＳＣ映像送信装置と、ＸＧＡ映像送信装置と、ＮＴＳＣ映像信号とＸＧＡ映像信号を同時にＩＰ網に送出するレイヤ２スイッチとを有し、ＮＴＳＣ映像とＸＧＡ映像とを同時にＩＰ網へ送出し、映像受信拠点局の映像スイッチを切替制御する信号をＩＰ網へ送出するようにした。また、本発明は、上記遠隔教育システムを構成する映像配信局において、ＸＧＡ映像信号をＮＴＳＣ映像信号に変換する変換装置を備え、ＰＣからのＸＧＡ映像信号をＮＴＳＣ信号に変換してＩＰ網へ送出するようにした。
【００１２】
本発明は、映像配信局と複数の映像受信拠点局とをＩＰ網を介して接続し、映像配信局からＮＴＳＣ映像信号とＸＧＡ映像信号を同時に送信し、映像受信拠点局が受信した映像信号を映像配信局からの制御新号によって選択して出力する遠隔教育システムを構成する映像受信拠点局であって、同時に受信したＮＴＳＣ映像信号と、ＸＧＡ映像信号を分けるレイヤ２スイッチと、ＮＴＳＣ映像・音声受信信号装置と、ＸＧＡ英送受信装置と、ＮＴＳＣ映像信号をＲＧＢ映像信号に変換する変換装置と、ＮＴＳＣ映像・音声受信装置またはＸＧＡ映像受信装置からの信号のいずれかを選択する映像スイッチとを有し、ＩＰ網から同時に受信したＮＴＳＣ映像信号とＸＧＡ映像信号のいずれかを選択する切替制御信号を映像配信局から受信し、映像スイッチを切替制御するようにした。
【００１３】
以下、図１〜図６を用いて、本発明にかかる遠隔教育システムの概要を説明する。まず、図１を用いて、本発明にかかる遠隔教育システムの構成を説明する。本発明にかかる遠隔教育システムは、映像配信局３と複数の映像受信拠点局５ａ〜５ｎを、広域Ｅｔｈｅｒｎｅｔ（登録商標）等のＩＰ網１を介して接続して構成される。
【００１４】
映像配信局３は、レイヤ２スイッチ（以下、Ｌ２ＳＷという）３１と、制御端末３２と、カメラ等（以下、カメラという）３３と、変換装置３４と、ＰＣ３５と、ＮＴＳＣ映像ＩＰ化送信装置（以下、ＮＴＳＣ映像送信装置という）３６と、ＸＧＡ映像ＩＰ化送信装置（以下、ＸＧＡ映像送信装置という）３７とを有している。
【００１５】
制御端末３２は、講師卓に設置されたＰＣで、遠隔教育システムを制御するアプリケーションがインストールされる。カメラ３３は、講師や、紙の資料を写すカメラや、映像を再生するビデオデッキである。変換装置３４は、ＰＣ３５からのＲＧＢ信号をＮＴＳＣ信号に変換する変換装置である。ＰＣ３５は、講師が講義資料を表示する為のＰＣである。ＮＴＳＣ映像送信装置３６は、ＮＴＳＣにて入力された映像を、圧縮し、ＩＰパケット化し、送信する装置である。ＸＧＡ映像送信装置３７は、ＲＧＢにて入力されたＸＧＡ映像を、ＩＰパケット化し、送信する装置である。
【００１６】
制御端末３２およびＮＴＳＣ映像送信装置３６ならびにＸＧＡ映像送信装置３７とＬ２ＳＷ３１は、ＬＡＮケーブルＬＣによって接続される。カメラ３３および変換装置３４とＮＴＳＣ映像送信装置３６は、ＮＴＳＣケーブルＮＣによって接続される。ＰＣ３５と変換装置３４およびＸＧＡ映像送信装置３７は、ＲＧＢケーブルＲＣによって接続される。
【００１７】
映像拠点局５は、それぞれ、スイッチインタフェース（以下、ＳＷＩＦという）と、Ｌ２ＳＷ５１と、ＮＴＳＣ映像ＩＰ化受信装置（以下、ＮＴＳＣ映像・音声受信装置という）５２と、ＸＧＡ映像ＩＰ化受信装置（以下、ＸＧＡ映像受信装置という）５３と、変換装置５４と、映像スイッチ５５と、映像表示装置５６とを有している。
【００１８】
ＳＷＩＦは、映像スイッチ５５を制御するためのインタフェースケーブルで、使用するスイッチに適応したものを使用する。
【００１９】
ＮＴＳＣ映像・音声受信装置５２は、ＮＴＳＣ映像送信装置３６から送信されたＩＰパケットを受信し、再生し、ＮＴＳＣ映像および音声を出力する装置である。ＸＧＡ映像受信装置５３は、ＸＧＡ映像送信装置３７から送信されたＩＰパケットを受信し、再生し、ＸＧＡ映像を出力する装置である。変換装置５４は、ＮＴＳＣ信号をＲＧＢ信号に変換する変換装置である。映像スイッチ５５は、ＳＷＩＦによって、出力映像を切り替えることが可能なＲＧＢスイッチである。映像表示装置５６は、ＲＧＢ入力のモニタ、プロジェクタ等の映像表示装置である。
【００２０】
Ｌ２ＳＷ５１とＮＴＳＣ映像・音声受信装置５２およびＸＧＡ映像受信装置５３は、ＬＡＮケーブルＬＣによって接続ＮＴＳＣ映像・音声受信装置５２と変換装置５４はＮＴＳＣケーブルＮＣによって接続される。変換装置５４およびＸＧＡ映像受信装置５３と映像スイッチ５５は、ＲＧＢケーブルＲＣによって接続される。また、映像スイッチ５５と映像表示装置５６は、ＲＧＢケーブルＲＣによって接続される。
【００２１】
カメラ３３からのＮＴＳＣケーブルＮＣａを経由したＮＴＳＣ信号およびＰＣ３５からのＲＧＢケーブルＲＣａを経由したＲＧＢ信号を変換装置３４にて変換したＮＴＳＣ信号が、ＮＴＳＣケーブルＮＣｃ経由でＮＴＳＣ映像送信装置３６に送出され、ＰＣ３５からのＲＧＢ信号がＲＧＢケーブルＲＣａを経由してＸＧＡ映像送信装置３７に出力される。ＮＴＳＣ映像送信装置３６はＬＡＮケーブルＬＣｂ、ＸＧＡ映像送信装置３７はＬＡＮケーブルＬＣｃを経由してＬ２ＳＷ３１に接続される。Ｌ２ＳＷ３１はＩＰ網１を利用してＬ２ＳＷ５１に接続され、ＬＡＮケーブルＬＣｄを経由してＮＴＳＣ映像・音声受信装置５２に、ＬＡＮケーブルＬＣｅを経由してＸＧＡ映像受信装置５３に接続される。ＮＴＳＣ映像・音声受信装置５２のＮＴＳＣ信号はＮＴＳＣケーブルＮＣｂを介して変換装置５４を経て、ＲＧＢケーブルＲＣｃ経由して映像スイッチ５５へ出力される。ＸＧＡ映像受信装置５３はＲＧＢケーブルＲＣｂを経由して映像スイッチ５５へ接続される。また、ＮＴＳＣ映像・音声受信装置５２はＳＷＩＦによって映像スイッチ５５に接続される。制御端末３２は、ＬＡＮケーブルＬＣａを経由してＬ２ＳＷ３１に接続される。
【００２２】
図２を用いて、本発明において、カメラ３３の映像を映像表示装置５６に表示する際の、データの流れを説明する。カメラ３３のＮＴＳＣ映像がＮＴＳＣケーブルＮＣａを経由してＮＴＳＣ映像送信装置３６に入力され、圧縮およびＩＰパケット化され、ＬＡＮケーブルＬＣｂ、Ｌ２ＳＷ３１、ＩＰ網１、Ｌ２ＳＷ５１、ＬＡＮケーブルＬＣｄを経て、ＮＴＳＣ映像・音声受信装置５２に届く。ＮＴＳＣ映像・音声受信装置５２では、映像信号と音声信号を分離して、圧縮された映像データを再生し、ＮＴＳＣ映像としてＮＴＳＣケーブルＮＣｂへ出力し、音声信号をスピーカ５７へ出力する。ＮＴＳＣケーブルＮＣｂのＮＴＳＣ信号は、変換装置５４にてＲＧＢ信号に変換され、ＲＧＢケーブルＲＣｃを経由して映像スイッチ５５に入力される。このＲＧＢ信号が映像スイッチ５５にて出力選択され、ＲＧＢケーブルＲＣｄを経由して映像表示装置５６に入力され、映像が表示される。
【００２３】
図３を用いて、本発明にて、ＰＣ３５において動画を再生した際の映像を、映像表示装置５６に表示する際のデータの流れを説明する。ＰＣ３５のＲＧＢ映像信号がＲＧＢケーブルＲＣａに出力され、変換装置３４にてＮＴＳＣ信号に変換され、ＮＴＳＣケーブルＮＣｃを経由してＮＴＳＣ映像送信装置３６に入力され、圧縮およびＩＰパケット化され、ＬＡＮケーブルＬＣｂ、Ｌ２ＳＷ３１、ＩＰ網１、Ｌ２ＳＷ５１、ＬＡＮケーブルＬＣｄを経て、ＮＴＳＣ映像・音声受信装置５２に届く。ＮＴＳＣ映像・音声受信装置５２では、音声信号と映像信号を分離し、圧縮された映像データを再生し、ＮＴＳＣ映像としてＮＴＳＣケーブルＮＣｂへ出力し、音声信号をスピーカ５７へ出力する。ＮＴＳＣ映像信号はＮＴＳＣケーブルＮＣｂを経由して変換装置５４へ送られ、変換装置５４にてＲＧＢ信号に変換され、ＲＧＢケーブルＲＣｃを経由して映像スイッチ５５に入力される。このＲＧＢ信号が映像スイッチ５５にて出力選択され、ＲＧＢケーブルＲＣｄを経由して映像表示装置５６に入力され、映像が表示される。
【００２４】
図４を用いて、本発明において、ＰＣ３５の高精細画像による映像を、映像表示装置５６に表示する際のデータの流れを説明する。ＰＣ３５のＲＧＢ映像信号（高精細画像信号）がＲＧＢケーブルＲＣａを経由してＸＧＡ映像送信装置３７に入力され、ＩＰパケット化され、ＬＡＮケーブルＬＣｃ、Ｌ２ＳＷ３１、ＩＰ網１、Ｌ２ＳＷ５１、ＬＡＮケーブルＬＣｅを経て、ＸＧＡ映像受信装置５３に届く。ＸＧＡ映像受信装置５３では、受信したデータを再生し、ＸＧＡ映像としてＲＧＢケーブルＲＣｂを経由して映像スイッチ５５へ入力される。このＲＧＢ信号が映像スイッチ５５にて出力選択され、ＲＧＢケーブルＲＣｄを経由して映像表示装置５６に入力され、映像が表示される。
【００２５】
図５を用いて、本発明において、制御端末３２から映像スイッチ５５を制御／監視する際のデータの流れを説明する。制御端末３２からの制御信号が、ＬＡＮケーブルＬＣａ、Ｌ２ＳＷ３１、ＩＰ網１、Ｌ２ＳＷ５１、ＬＡＮケーブルＬＣｄを経て、ＮＴＳＣ映像・音声受信装置５２に届く。ＮＴＳＣ映像・音声受信装置５２で制御信号を分離し、ＳＷＩＦを経由して映像スイッチ５５へ入力され、映像スイッチ５５が制御される。また、映像スイッチからの状態通知信号が、ＳＷＩＦを経由してＮＴＳＣ映像・音声受信装置５２に送られ、ＮＴＳＣ映像・音声受信装置５２でＩＰパケット化され、ＬＡＮケーブルＬＣｄ、Ｌ２ＳＷ５１、ＩＰ網１、Ｌ２ＳＷ３１、ＬＡＮケーブルＬＣａを経て、制御端末３２に届き、映像スイッチの状態を監視する。
【００２６】
図６を用いて、本発明において、制御端末３２が、ＮＴＳＣ映像送信装置３６、ＸＧＡ映像送信装置３７、ＮＴＳＣ映像・音声受信装置５２、ＸＧＡ映像受信装置５３、を制御／監視する際のデータの流れを説明する。制御端末３２からの制御信号が、ＬＡＮケーブルＬＣａ、Ｌ２ＳＷ３１、ＬＡＮケーブルＬＣｂを経て、ＮＴＳＣ映像送信装置３６に届きＮＴＳＣ映像送信装置３６が制御される。また、ＮＴＳＣ映像送信装置３６からの状態通知信号が、ＬＡＮケーブルＬＣｂ、Ｌ２ＳＷ３１、ＬＡＮケーブルＬＣａを経て、制御端末３２に届き、ＮＴＳＣ映像送信装置３６の状態を監視する。同様に、制御端末３２からの制御信号が、ＬＡＮケーブルＬＣａ、Ｌ２ＳＷ３１、ＬＡＮケーブルＬＣｃを経て、ＸＧＡ映像送信装置３７に届きＸＧＡ映像送信装置３７が制御される。また、ＸＧＡ映像送信装置３７からの状態通知信号が、ＬＡＮケーブルＬＣｃ、Ｌ２ＳＷ３１、ＬＡＮケーブルＬＣａを経て、制御端末３２に届き、ＸＧＡ映像送信装置３７の状態を監視する。
【００２７】
さらに、制御端末３２からの制御信号が、ＬＡＮケーブルＬＣａ、Ｌ２ＳＷ３１、ＩＰ網１、Ｌ２ＳＷ５１、ＬＡＮケーブルＬＣｄを経て、ＮＴＳＣ映像・音声受信装置５２に届きＮＴＳＣ映像・音声受信装置５２が制御される。また、ＮＴＳＣ映像・音声受信装置５２からの状態通知信号が、ＬＡＮケーブルＬＣｄ、Ｌ２ＳＷ３１、ＩＰ網１、Ｌ２ＳＷ５１、ＬＡＮケーブルＬＣａを経て、制御端末３２に届き、ＮＴＳＣ映像・音声受信装置５２の状態を監視する。また、制御端末３２からの制御信号が、ＬＡＮケーブルＬＣａ、Ｌ２ＳＷ３１、ＩＰ網１、Ｌ２ＳＷ５１、ＬＡＮケーブルＬＣｅを経て、ＸＧＡ映像受信装置５３に届きＸＧＡ映像受信装置５３が制御される。また、ＸＧＡ映像受信装置５３からの状態通知信号が、ＬＡＮケーブルＬＣｅ、Ｌ２ＳＷ３１、ＩＰ網１、Ｌ２ＳＷ５１、ＬＡＮケーブルＬＣａを経て、制御端末３２に届き、ＸＧＡ映像受信装置５３の状態を監視する。
【実施例】
【００２８】
図７を用いて、本発明の他の実施例を説明する。この実施例では、図１の構成に比較して、映像配信局３のコンバータ３４を省略し、映像スイッチ３８と選択ボタン３９を追加した点、および、映像受信拠点局５の変換装置５４を省略した点に特徴がある。カメラ３４はＮＴＳＣケーブルＮＣａを介して、ＰＣ３５はＲＧＢケーブルＲＣａを介して、選択ボタン３９はＳＷＩＦを介してそれぞれ映像スイッチ３８に接続される。また、映像スイッチ３８は、ＳＷＩＦを介して制御端末３２に、ＮＴＳＣケーブルＮＣｄを介してＮＴＳＣ映像送信装置３６に、ＲＧＢケーブルＲＣｃを介してＸＧＡ映像送信装置３７に接続される。
【００２９】
入力する映像を選択ボタン３９の手動式のボタンで選択し、制御端末３２で映像スイッチ３８の状態を読み取り、映像スイッチ３８を制御する。また、映像スイッチ５５および映像スイッチ３８は変換装置を内蔵しており、外部変換装置は必要ない。
【００３０】
講師は、講義開始時に制御端末３２から、ＮＴＳＣ映像送信装置３６、ＸＧＡ映像送信装置３７、ＮＴＳＣ映像・音声受信装置５２、ＸＧＡ映像受信装置５３の状態を確認し問題がなければ映像の配信を開始する。
【００３１】
配信する映像を、選択ボタン３９で選択し、映像スイッチ３８を制御する。制御端末３２は、映像スイッチ３８の状態を読み取り、映像スイッチ５５を項番００１５により制御する。
【００３２】
カメラ３３の映像を選択ボタン３９で選択した場合、カメラ３３の映像が映像スイッチ３８によってＮＴＳＣ映像送信装置３６に入力され、ＩＰ網１に対してマルチキャスト配信される。各映像受信拠点局５のＮＴＳＣ映像・音声受信装置５２は、マルチキャストされたデータを受信し、ＮＴＳＣ信号を再生し、映像スイッチ５５に出力する。項番００１８により選択され、映像表示装置５６で表示される。
【００３３】
ＰＣ３５の画面を動画として選択ボタン３９で選択した場合、ＰＣ３５の画面が映像スイッチ３８によってＮＴＳＣ映像送信装置３６に入力され、ＩＰ網１に対してマルチキャスト配信される。各映像受信拠点局のＮＴＳＣ映像・音声受信装置５２は、マルチキャストされたデータを受信し、ＮＴＳＣ信号を再生し、映像スイッチ５５に出力する。項番００１８により選択され、映像表示装置５６で表示される。
【００３４】
ＰＣ３５の画面を高精細画像として選択ボタン３９で選択した場合、ＰＣ３５の画面が映像スイッチ３８によってＸＧＡ映像送信装置３７に入力され、ＩＰ網１に対してマルチキャスト配信される。各映像受信拠点局のＸＧＡ映像受信装置５３は、マルチキャストされたデータを受信し、ＲＧＢ信号を再生し、映像スイッチ５５に出力する。項番００１８により選択され、映像表示装置５６で表示される。
【００３５】
また、講師は、制御端末３２により、受信する映像受信拠点局のみのＮＴＳＣ映像・音声受信装置５２およびＸＧＡ映像受信装置５３を起動し、講義を行うことにより、映像受信拠点局５を選択することができる。
【図面の簡単な説明】
【００３６】
【図１】本発明にかかる遠隔教育システムの構成を説明する図である。
【図２】本発明にかかる遠隔教育システム構成における動画データ（カメラ映像）の流れを説明する図である。
【図３】本発明にかかる遠隔教育システム構成における動画データ（ＰＣ動画映像）の流れを説明する図である。
【図４】本発明にかかる遠隔教育システム構成における高精細画像データ（ＰＣ映像）の流れを説明する図である。
【図５】本発明にかかる遠隔教育システム構成におけるスイッチ制御/監視データの流れを説明する図である。
【図６】本発明にかかる遠隔教育システム構成における装置制御/監視データの流れを説明する図である。
【図７】本発明にかかる遠隔教育システムの他の実施例を説明する図である。
【符号の説明】
【００３７】
１：ＩＰ網、３：映像配信局、３１：Ｌ２スイッチ、３２：制御端末、３３：カメラ、３４：変換装置、３５：ＰＣ、３６：ＮＴＳＣ映像送信装置、３７：ＸＧＡ映像送信装置、３８：選択ボタン、３９：映像スイッチ、５：映像受信拠点局、５１：Ｌ２スイッチ、５２：ＮＴＳＣ映像・音声受信装置、５３：ＸＧＡ映像受信装置、５４：変換装置、５５：映像スイッチ、５６映像表示装置、５７：スピーカ
【図１】
2007158650.tif 000003
【図２】
2007158650.tif 000004
【図３】
2007158650.tif 000005
【図４】
2007158650.tif 000006
【図５】
2007158650.tif 000007
【図６】
2007158650.tif 000008
【図７】
2007158650.tif 000009